(57)【要約】【課題】内部に浸入した水を簡単かつ確実に排出できる電線ケースとしてのプロテクタを提供する。【解決手段】プロテクタ１０は、ワイヤハーネスＷ／Ｈを構成する電線を収容するプロテクタ本体１１と、プロテクタ本体１１を覆うカバー２０とを備え、このカバー２０に、プロテクタ本体１１内を通る電線の経路Ｒを規制する突起２３を設け、電線の経路Ｒが横方向から見た際に上下に傾斜するようにプロテクタ本体１１に電線挿入口１５ａを設けると共にカバー２０に上記突起２３を設け、かつ、プロテクタ本体１１の底壁１２に水抜き孔１２ａを設けた。【選択図】図３
2019221080.tif 000002
【特許請求の範囲】
【請求項１】
ワイヤハーネスを構成する電線を収容するケース本体もしくは該ケース本体を覆うカバーのどちらか一方に、前記ケース本体内を通る電線の経路を規制する突起を設け、
前記電線の経路が横方向から見た際に上下に傾斜するように前記ケース本体に電線挿入口を設けると共に該ケース本体もしくは前記カバーのどちらか一方に前記突起を設け、
かつ、前記ケース本体の車両に組み付けた際に下側にくる壁に水抜き孔を設けたことを特徴とする電線ケース。
【請求項２】
請求項１記載の電線ケースであって、
前記水抜き孔は、前記電線挿入口が設けられた前記ケース本体の壁と前記車両に組み付けた際に下側にくる壁が交わる箇所に設けられたことを特徴とする電線ケース。
【発明の詳細な説明】
【技術分野】
【０００１】
本発明は、ワイヤハーネスを構成する電線を収容して保護するプロテクタ等の電線ケースに関する。
【背景技術】
【０００２】
例えば、ワイヤハーネスを構成する電線を収容する電気接続箱（電線ケース）として、特許文献１に記載されたものが知られている。
【０００３】
この電気接続箱１は、図５及び図６に示すように、ワイヤハーネスＷ／Ｈが内外に跨って設けられる箱本体２と、この箱本体２に係合するカバー９と、を備えている。
【０００４】
箱本体２には、その一壁２ａの端部を切り欠いてワイヤハーネスＷ／Ｈを内部から引き出す引き出し部３が形成されている。また、箱本体２の引き出し部３の下側の一壁２ａの外面には、ワイヤハーネスＷ／Ｈを固定するハーネス固定部４が突出形成されている。このハーネス固定部４は、一壁２ａに一体突出形成された一対の壁５，６と、この一方の壁５の突出方向の端部から他方の壁５に向けて連成される係止片７と、ワイヤハーネスＷ／Ｈが通過する通路８とで構成されている。
【０００５】
そして、ワイヤハーネスＷ／Ｈは、引き出し部３を介して箱本体２の内部から引き出され、下方に向けて曲げられた後にハーネス固定部４の係止片７の凹部７ａに引っ掛かるようにして固定される。また、ハーネス固定部４と入口部である引き出し部３の落差によりワイヤハーネスＷ／Ｈを伝っての水の浸入を防ぐようになっている。
【先行技術文献】
【特許文献】
【０００６】
【特許文献１】特開２００２−１０４４２号公報
【発明の概要】
【発明が解決しようとする課題】
【０００７】
しかしながら、前記従来の電気接続箱１では、箱本体２の一壁２ａの端部に引き出し部３を切り欠き形成しているため、例えば、引き出し部３の開口から水が箱本体２の内部に浸入した場合には、箱本体２の内部の水を排出することができない。
【０００８】
そこで、本発明は、前記した課題を解決すべくなされたものであり、内部に浸入した水を簡単かつ確実に排出することができる電線ケースを提供することを目的とする。
【課題を解決するための手段】
【０００９】
本発明は、ワイヤハーネスを構成する電線を収容して保護する電線ケースであって、ワイヤハーネスを構成する電線を収容するケース本体もしくは該ケース本体を覆うカバーのどちらか一方に、前記ケース本体内を通る電線の経路を規制する突起を設け、前記電線の経路が横方向から見た際に上下に傾斜するように前記ケース本体に電線挿入口を設けると共に該ケース本体もしくは前記カバーのどちらか一方に前記突起を設け、かつ、前記ケース本体の車両に組み付けた際に下側にくる壁に水抜き孔を設けたことを特徴とする。
【発明の効果】
【００１０】
本発明によれば、ケース本体の車両に組み付けた際に下側にくる壁に水抜き孔を設けたことにより、ケース本体の内部に浸入した水を水抜き孔から簡単かつ確実に排出することができる。
【図面の簡単な説明】
【００１１】
【図１】本発明の第１実施形態のプロテクタを示す斜視図である。
【図２】上記プロテクタの要部を一部断面で示す斜視図である。
【図３】上記プロテクタの要部の断面図である。
【図４】本発明の第２実施形態のプロテクタの要部の断面図である。
【図５】従来の電気接続箱のワイヤハーネス固定構造を示す斜視図である。
【図６】上記従来の電気接続箱のワイヤハーネス固定構造の要部の断面図である。
【発明を実施するための形態】
【００１２】
以下、本発明の実施形態を図面に基づいて説明する。
【００１３】
図１は本発明の第１実施形態のプロテクタを示す斜視図、図２は同プロテクタの要部を一部断面で示す斜視図、図３は同プロテクタの要部の断面図である。
【００１４】
図１〜図３に示すように、プロテクタ（電線ケース）１０は、ワイヤハーネスＷ／Ｈを構成する電線を収容する上面側が開口した合成樹脂製のプロテクタ本体（ケース本体）１１と、このプロテクタ本体１１の上面側の開口を覆う合成樹脂製のカバー２０と、を備えている。
【００１５】
プロテクタ本体１１は、Ｌ字板状に曲がった底壁１２と、この底壁１２の両端側より上方に起立した両側壁１３，１３と、ワイヤハーネスＷ／Ｈを構成する電線が通過可能な複数の経路（ルート）Ｒを区画する隔壁１４と、前壁１５及び後壁１６とを有しており、上面側が開口している。
【００１６】
また、カバー２０は、Ｌ字板状に曲がった天井壁２１と、この天井壁２１の両端側より下方に起立した両側壁２２，２２とを有していて、プロテクタ本体１１の上面側の開口を覆うようになっている。
【００１７】
図２及び図３に示すように、プロテクタ本体１１の前壁（壁）１５の上端部側には、電線の経路Ｒが横方向から見た際に上下に傾斜するように電線引き出し口を兼ねた電線挿入口１５ａを形成してある。さらに、プロテクタ本体１１の底壁１２には、水抜き孔１２ａを形成してある。この水抜き孔１２ａは、電線挿入口１５ａが設けられたプロテクタ本体１１の前壁１５と底壁１２が交わる箇所に設けられている。ここで、底壁１２とは、プロテクタ本体１１を自動車の車両に組み付けた際に下側にくる壁をいう。
【００１８】
そして、カバー２０の天井壁２１には、プロテクタ本体１１内を通る電線の経路Ｒを規制する突起２３を下方に向けて一体突出形成してある。
【００１９】
尚、図１に示すように、プロテクタ本体１１の両側壁１３，１３に形成された枠状のロック部１７にカバー２０の両側壁２２，２２に形成されたロック突起２４が係止されることにより、プロテクタ本体１１の上面側の開口をカバー２０で覆った状態がロックされるようになっている。
【００２０】
以上実施形態のプロテクタ１０によれば、電線挿入口１５ａが設けられたプロテクタ本体１１の前壁１５と底壁１２が交わる箇所の底壁１２に水抜き孔１２ａを設けたことにより、プロテクタ本体１１の内部に浸入した水を水抜き孔１２ａから簡単かつ確実に排出することができる。即ち、前壁１５の上端側に電線挿入口１５ａが設けられたプロテクタ本体１１の前壁１５とカバー２０の天井壁２１に設けられた突起２３によって、ワイヤハーネスＷ／Ｈに上下に傾斜する段差をつくり、電線挿入口１５ａから浸入した水を水切り経路（ルート）Ｓに示すように誘導し、プロテクタ本体１１の底壁１２に設けられた水抜き孔１２ａにより誘導した水を簡単かつ確実に排出することができる。
【００２１】
また、プロテクタ本体１１の内部でワイヤハーネスＷ／Ｈの通る経路Ｒをプロテクタ本体１１の前壁１５の電線挿入口１５ａとカバー２０の天井壁２１の突起２３とで規制しているため、ワイヤハーネスＷ／Ｈがプロテクタ本体１１の内部から外れることはない。
【００２２】
さらに、従来のように、プロテクタ本体１１から外側に突出する部材がないため、その分、成形材料の使用量と材料費を低減することができると共に、軽量化を図ることができる。
【００２３】
図４は発明の第２実施形態のプロテクタの要部の断面図である。
【００２４】
この第２実施形態のプロテクタ（電線ケース）１０′では、電線の経路Ｒが横方向から見た際に上下に傾斜するようにプロテクタ本体（ケース本体）１１の前壁１５の下端部側に電線引き出し口を兼ねた電線挿入口１５ａを設けると共に、該プロテクタ本体１１の底壁１２側にプロテクタ本体１１内を通るワイヤハーネスＷ／Ｈの経路Ｒを規制する突起１８を設けた点が前記第１実施形態と異なる。尚、他の構成部分は、前記第１実施形態と同一であるため、同一構成部分には同一符号を付して詳細な説明は省略する。
【００２５】
この第２実施形態でも前記第１実施形態と同様に、プロテクタ本体１１の内部に浸入した水を底壁１２の水抜き孔１２ａから簡単かつ確実に排出することができる。即ち、前壁１５の下端側に電線挿入口１５ａが設けられたプロテクタ本体１１の前壁１５と底壁１２に設けられた突起１８によって、ワイヤハーネスＷ／Ｈに前記第１実施形態とは逆向きに上下に傾斜する段差をつくり、電線挿入口１５ａから浸入した水を、水切り経路Ｓに示すようにプロテクタ本体１１の底壁１２に設けられた水抜き孔１２ａに直に誘導して簡単かつ確実に排出することができる。
【００２６】
尚、前記各実施形態によれば、前壁側に電線挿入口を設けたが、側壁側に設けても良く、また、電線ケースとしてプロテクタについて説明したが、電気接続箱等の電線ケースについて前記各実施形態を適用できることは勿論である。
【符号の説明】
【００２７】
１０，１０′  プロテクタ（電線ケース）
１１  プロテクタ本体（ケース本体）
１２  底壁（車両に組み付けた際に下側にくる壁）
１２ａ  水抜き孔
１５  前壁（壁）
１５ａ  電線挿入口
１８  突起
２０  カバー
２３  突起
Ｗ／Ｈ  ワイヤハーネス
Ｒ  電線（ワイヤハーネス）の経路
Ｓ  水切り経路
【図１】
2019221080.tif 000003
【図２】
2019221080.tif 000004
【図３】
2019221080.tif 000005
【図４】
2019221080.tif 000006
【図５】
2019221080.tif 000007
【図６】
2019221080.tif 000008